(57)【要約】【課題】フック形状なしで物入れ用具を掛けて支えることができ、万が一ユーザーが物掛け具の係合部と接触した場合であっても目の負傷など大怪我するリスクを回避できる物掛け具を提供する。【解決手段】物掛け具１００は、物入れ用具ＢＧが有するループ状取っ手ＢＧ１と係合する係合部１１０を有している。係合部が、所定方向Ｄへ延設されたバー部材１１１と、バー部材に沿って延設されたコイルばね状部材１１２とを有している。バー部材が、コイルばね状部材の内周または外周と接続され、コイルばね状部材が、所定方向へ隙間を有している。ループ状取っ手が、コイルばね状部材の所定方向における隙間に通されてからバー部材と交差した姿勢で接触して、コイルばね状部材の外周に掛けられる構成である。【選択図】図１
0003228461.tif 000002
【実用新案登録請求の範囲】
【請求項１】
物入れ用具が有するループ状取っ手と係合する係合部を有して物入れ用具を掛ける物掛け具であって、
前記係合部が、所定方向へ延設されたバー部材と、バー部材に沿って延設されたコイルばね状部材とを有し、
前記バー部材が、前記コイルばね状部材の内周または外周と接続され、コイルばね状部材が、所定方向へ隙間を有し、
前記ループ状取っ手が、前記コイルばね状部材の所定方向における隙間に通されてからバー部材と交差した姿勢で接触して、コイルばね状部材の外周に掛けられ、
または、前記バー部材と交差した姿勢で接触してからコイルばね状部材の所定方向における隙間に通されて、コイルばね状部材の外周に掛けられる構成であることを特徴とする物掛け具。
【請求項２】
前記バー部材が、前記コイルばね状部材の内周と接続され、
前記バー部材の外径が、前記コイルばね状部材の内径の半分以下である関係を有する構成であることを特徴とする請求項１に記載の物掛け具。
【請求項３】
物入れ用具が有するループ状取っ手と係合する係合部を有して物入れ用具を掛ける物掛け具であって、
前記係合部が、所定方向へ延設されたバー部材と、バー部材に沿って配置された複数のリング状部材とを有し、
前記バー部材が、前記リング状部材の内周または外周と接続され、
前記複数のリング状部材が、所定方向へ隙間を有するとともにリング状部材によって成される面がバー部材と交差する関係となる姿勢で配設され、
前記ループ状取っ手が、前記複数のリング状部材の所定方向における隙間に通されてからバー部材と交差した姿勢で接触して、リング状部材の外周に掛けられ、
または、前記バー部材と交差した姿勢で接触してから複数のリング状部材の所定方向における隙間に通されて、リング状部材の外周に掛けられる構成であることを特徴とする物掛け具。
【考案の詳細な説明】
【技術分野】
【０００１】
本考案は、物入れ用具が有するループ状取っ手と係合する係合部を有して物入れ用具を掛ける物掛け具に関する。
【背景技術】
【０００２】
従来、支持部材に係止可能な係止部と、係止部の両側に形成され、それぞれ被引掛け物を引っ掛けて吊り下げることが可能なフック部とを備えた物掛け具が知られている（例えば、特許文献１）。
また、フック本体と、フック支持台とを備え、フック支持台の外周に凹部と凸部とが互いにはめ込むことができる形状を有した凹部と凸部とを任意の数だけ設けた物掛けが知られている（例えば、特許文献２）。
【先行技術文献】
【特許文献】
【０００３】
【特許文献１】特開２０１１−２３４７６４号公報
【特許文献２】実登３１９４７２１号公報
【考案の概要】
【考案が解決しようとする課題】
【０００４】
しかしながら、上述した従来の物掛け具は、「Ｊ」字状のフック部を有した構造であったため、ユーザーが幼児などの子供である場合、フック部が子供の顔の高さに設置されると、万が一ユーザーである子供が物掛け具のフック部と接触した場合、目の負傷など大怪我するリスクがあった。
また、上述した従来の物掛けは、「Ｊ」字状のフック本体を有した構造であったため、従来の物掛け具と同様、万が一ユーザーである子供が物掛けのフック本体と接触した場合、目の負傷など大怪我するリスクがあった。
【０００５】
そこで、本考案は、前述したような従来技術の問題を解決するものであって、すなわち、本考案の目的は、フック形状なしで物入れ用具を掛けて支えることができ、万が一ユーザーが物掛け具の係合部と接触した場合であっても目の負傷など大怪我するリスクを回避できる物掛け具を提供することである。
【課題を解決するための手段】
【０００６】
本請求項１に係る考案は、物入れ用具が有するループ状取っ手と係合する係合部を有して物入れ用具を掛ける物掛け具であって、前記係合部が、所定方向へ延設されたバー部材と、バー部材に沿って延設されたコイルばね状部材とを有し、前記バー部材が、前記コイルばね状部材の内周または外周と接続され、コイルばね状部材が、所定方向へ隙間を有し、前記ループ状取っ手が、前記コイルばね状部材の所定方向における隙間に通されてからバー部材と交差した姿勢で接触して、コイルばね状部材の外周に掛けられ、または、前記バー部材と交差した姿勢で接触してからコイルばね状部材の所定方向における隙間に通されて、コイルばね状部材の外周に掛けられる構成であることにより、前述した課題を解決するものである。
【０００７】
本請求項２に係る考案は、請求項１に記載された物掛け具の構成に加えて、前記バー部材が、前記コイルばね状部材の内周と接続され、前記バー部材の外径が、前記コイルばね状部材の内径の半分以下である関係を有する構成であることにより、前述した課題をさらに解決するものである。
【０００８】
本請求項３に係る考案は、物入れ用具が有するループ状取っ手と係合する係合部を有して物入れ用具を掛ける物掛け具であって、前記係合部が、所定方向へ延設されたバー部材と、バー部材に沿って配置された複数のリング状部材とを有し、前記バー部材が、前記リング状部材の内周または外周と接続され、前記複数のリング状部材が、所定方向へ隙間を有するとともにリング状部材によって成される面がバー部材と交差する関係となる姿勢で配設され、前記ループ状取っ手が、前記複数のリング状部材の所定方向における隙間に通されてからバー部材と交差した姿勢で接触して、リング状部材の外周に掛けられ、または、前記バー部材と交差した姿勢で接触してから複数のリング状部材の所定方向における隙間に通されて、リング状部材の外周に掛けられる構成であることにより、前述した課題を解決するものである。
【考案の効果】
【０００９】
本考案の物掛け具は、物入れ用具のループ状取っ手と係合する係合部を有していることにより、物入れ用具を掛けることができるばかりでなく、以下のような特有の効果を奏することができる。
【００１０】
本請求項１に係る考案の物掛け具によれば、物入れ用具の自重による力がループ状取っ手とコイルばね状部材の外周との接触箇所においてコイルばね状部材の内側へ向かって作用してループ状取っ手とコイルばね状部材の外周との接触箇所において垂直抗力が発生して摩擦力が発生するため、フック形状なしで物入れ用具を掛けて支えることができる。
さらに、コイルばね状部材とこれに沿って設けられたバー部材が係合部を構成してユーザーが触れる箇所に尖った部分を有さないため、万が一ユーザーが物掛け具の係合部と接触した場合であっても目の負傷など大怪我するリスクを回避できる。
【００１１】
本請求項２に係る考案の物掛け具によれば、請求項１に係る考案が奏する効果に加えて、バー部材の位置がコイルばね状部材の内側になるため、バー部材がコイルばね状部材の外周と接続した構成と比べて、係合部の寸法をコンパクトにするとともに見栄えをよくすることができる。
さらに、ループ状取っ手のバー部材の外周に対する巻付け角（接触角度）を大きくすると、ループ状取っ手とコイルばね状部材の外周との接触箇所において物入れ用具の自重による力がコイルばね状部材の中心に対してバー部材の位置する側へ向いて作用し、ループ状取っ手とコイルばね状部材の外周との接触箇所において、もし、ズレが生じた場合であっても、巻付け角が大きくなる側へより深く掛かるようになるため、物入れ用具をより確実に支えることができる。
【００１２】
本請求項３に係る考案の物掛け具によれば、請求項１に係る考案が奏する効果と同様、物入れ用具の自重による力がループ状取っ手とリング状部材の外周との接触箇所においてリング状部材の内側へ向かって作用してループ状取っ手とリング状部材の外周との接触箇所において垂直抗力が発生して摩擦力が発生するため、フック形状なしで物入れ用具を掛けて支えることができる。
さらに、複数のリング状部材とこの配列方向に沿って設けられたバー部材が係合部を構成してユーザーが触れる箇所に尖った部分を有さないため、万が一ユーザーが物掛け具の係合部と接触した場合であっても目の負傷など大怪我するリスクを回避できる。
【図面の簡単な説明】
【００１３】
【図１】本考案の第１実施例である物掛け具の概略を示す斜視図。
【図２】（Ａ）（Ｂ）は図１に示す符号２Ａ−２Ａで視た側方断面図および符号２Ｂで視た正面図。
【図３】（Ａ）（Ｂ）は図１に示す符号３Ａで視た平面図および図２（Ａ）の変形例を示す側方断面図。
【図４】（Ａ）〜（Ｃ）は係合部の変形例を示す断面図。
【図５】本考案の第２実施例である物掛け具の概略を示す斜視図。
【図６】本考案の第３実施例である物掛け具の概略を示す側方図。
【図７】（Ａ）（Ｂ）は本考案の第４実施例である物掛け具の概略を示す平面図および正面図。
【図８】本考案の第５実施例である物掛け具の概略を示す斜視図。
【考案を実施するための形態】
【００１４】
本考案の物掛け具は、物入れ用具が有するループ状取っ手と係合する係合部を有し、係合部が、所定方向へ延設されたバー部材と、バー部材に沿って延設されたコイルばね状部材とを有し、バー部材が、コイルばね状部材の内周または外周と接続され、コイルばね状部材が、所定方向へ隙間を有し、ループ状取っ手が、コイルばね状部材の所定方向における隙間に通されてからバー部材と交差した姿勢で接触して、コイルばね状部材の外周に掛けられ、または、バー部材と交差した姿勢で接触してからコイルばね状部材の所定方向における隙間に通されて、コイルばね状部材の外周に掛けられる構成であることにより、フック形状なしで物入れ用具を掛けて支えることができ、万が一ユーザーが物掛け具の係合部と接触した場合であっても目の負傷など大怪我するリスクを回避できるものであれば、その具体的な実施態様は、如何なるものであっても構わない。
また、本考案の物掛け具は、物入れ用具が有するループ状取っ手と係合する係合部を有し、係合部が、所定方向へ延設されたバー部材と、バー部材に沿って配置された複数のリング状部材とを有し、バー部材が、リング状部材の内周または外周と接続され、複数のリング状部材が、所定方向へ隙間を有するとともにリング状部材によって成される面がバー部材と交差する関係となる姿勢で配設され、ループ状取っ手が、複数のリング状部材の所定方向における隙間に通されてからバー部材と交差した姿勢で接触して、リング状部材の外周に掛けられ、または、バー部材と交差した姿勢で接触してから複数のリング状部材の所定方向における隙間に通されて、リング状部材の外周に掛けられる構成であることにより、フック形状なしで物入れ用具を掛けて支えることができ、万が一ユーザーが物掛け具の係合部と接触した場合であっても目の負傷など大怪我するリスクを回避できるものであれば、その具体的な実施態様は、如何なるものであっても構わない。
【００１５】
例えば、物掛け具は、係合部を有していればよく、支持部を有したスタンド式のタイプでもよいし、壁掛け部を有した壁掛け式のタイプでもよい。
また、バー部材やコイルばね状部材、リング状部材の素材は、アルミニウム合金などの金属でもよいし、強化プラスチックなどの樹脂でもよい。
【実施例１】
【００１６】
以下に、本考案の第１実施例である物掛け具１００について、図１乃至図４（Ｂ）に基づいて説明する。
ここで、図１は、本考案の第１実施例である物掛け具１００の概略を示す斜視図であり、図２（Ａ）は、図１に示す符号２Ａ−２Ａで視た側方断面図であり、図２（Ｂ）は、図１に示す符号２Ｂおよび図３（Ａ）に示す符号２Ｂで視た正面図であり、図３（Ａ）は、図１〜図２（Ｂ）に示す符号３Ａで視た平面図であり、図３（Ｂ）は、図２（Ａ）の変形例を示す側方断面図であり、図４（Ａ）〜図４（Ｃ）は、係合部１１０の変形例を示す断面図である。
なお、考案を理解しやすいようにするために、図３（Ａ）において、ループ状取っ手ＢＧ１を図示して物入れ用具ＢＧの図示を省略する。
【００１７】
本考案の第１実施例である物掛け具１００は、図１に示すように、係合部１１０と、支持部１２０とを備えている。
このうち、支持部１２０は、物掛け具１００の設置面と接触して係合部１１０を下方から支持するように設けられている。
また、係合部１１０は、物入れ用具ＢＧが有するループ状取っ手ＢＧ１と係合するように設けられている。
物入れ用具ＢＧは、所謂、巾着袋でもよいし、トートバッグでもよい。
物入れ用具ＢＧが巾着袋である場合、ループ状取っ手ＢＧ１は紐状であり、物入れ用具ＢＧがトートバッグである場合、ループ状取っ手ＢＧ１はリボン状（帯状）である。
【００１８】
具体的には、係合部１１０は、所定方向Ｄへ延設されたバー部材１１１と、バー部材１１１に沿って延設されたコイルばね状部材１１２とを有している。
さらに、バー部材１１１が、コイルばね状部材１１２の内周または外周の一例である内周と接続されている。
また、コイルばね状部材１１２が、所定方向Ｄへ隙間Ｇを有している。
そして、図１〜図３（Ａ）に示すように、ループ状取っ手ＢＧ１が、コイルばね状部材１１２の所定方向Ｄにおける隙間Ｇに通されてからバー部材１１１と交差した姿勢で接触して、コイルばね状部材１１２の外周に掛けられるように構成されている。
【００１９】
これにより、物入れ用具ＢＧの自重による力がループ状取っ手ＢＧ１とコイルばね状部材１１２の外周との接触箇所においてコイルばね状部材１１２の内側へ向かって作用してループ状取っ手ＢＧ１とコイルばね状部材１１２の外周との接触箇所において垂直抗力が発生して摩擦力が発生する。
その結果、フック形状なしで物入れ用具ＢＧを掛けて支えることができる。
【００２０】
さらに、コイルばね状部材１１２とこれに沿って設けられたバー部材１１１が係合部１１０を構成してユーザーが触れる箇所に尖った部分を有さない。
その結果、万が一ユーザーが物掛け具１００の係合部１１０と接触した場合であっても目の負傷など大怪我するリスクを回避できる。
また、コイルばね状部材１１２の内側に空間があるとともに所定方向Ｄに隙間Ｇを有して、万が一ユーザーがコイルばね状部材１１２と接触した場合にコイルばね状部材１１２が多少なりとも弾性変形する。
その結果、目の負傷など大怪我するリスクをより確実に回避できる。
【００２１】
なお、ループ状取っ手ＢＧ１をコイルばね状部材１１２の外周に掛ける際、ループ状取っ手ＢＧ１がコイルばね状部材１１２の一巻き分を囲むようにループ状取っ手ＢＧ１を掛けてもよいし、複数巻き分を囲むように掛けてもよい。
また、バー部材１１１とコイルばね状部材１１２との接続は、両者が金属の場合、一例として溶接によって接続されてもよい。
この場合、コイルばね状部材１１２におけるバー部材１１１と接触する箇所の全てを溶接してもよいが、所定方向Ｄに数カ所毎に溶接してもよい。
これにより、溶接の労力が軽減されて製造工程を簡素化できる。
さらに、所定方向Ｄにおいてバー部材１１１と溶接されずに接触しているコイルばね状部材１１２の範囲は、溶接された箇所と比べて、万が一ユーザーがコイルばね状部材１１２と接触した場合に弾性変形して撓みやすくなる。
その結果、目の負傷など大怪我するリスクをより一層確実に回避できる。
【００２２】
さらに、本実施例では、バー部材１１１が、コイルばね状部材１１２の内周と接続されている。
そして、バー部材１１１の外径Ｒ１が、コイルばね状部材１１２の内径Ｒ２の半分以下である関係を有する構成である。
つまり、バー部材１１１の軸中心が、コイルばね状部材１１２の内周中心に対して大きく偏心した構成である。
これにより、バー部材１１１の位置がコイルばね状部材１１２の内側になる。
その結果、バー部材１１１がコイルばね状部材１１２の外周と接続した構成と比べて、係合部１１０の寸法をコンパクトにするとともに見栄えをよくすることができる。
【００２３】
また、図３（Ｂ）に示すように、コイルばね状部材１１２の外周に適宜、滑り止め用の突起１１２ａを設けてもよい。
これにより、物入れ用具ＢＧの自重による力が作用しているときに、ループ状取っ手ＢＧ１がコイルばね状部材１１２の外周を滑ってしまいそうになってたとしても、ループ状取っ手ＢＧ１が滑り止め用の突起１１２ａと接触することによって物入れ用具ＢＧの自重による力に対抗する。
そのため、ループ状取っ手ＢＧ１がコイルばね状部材１１２の外周を滑って物入れ用具ＢＧが落下してしまうことを回避できる。
なお、滑り止め用の突起１１２ａに代えて滑り止め用の凹部としてのくぼみをコイルばね状部材１１２の外周に適宜設けてもよいし、くぼみと滑り止め用の突起１１２ａとを併用してもよい。
技術的思想として、くぼみや滑り止め用の突起１１２ａは、コイルばね状部材１１２の外周においてループ状取っ手ＢＧ１が接触して欲しい箇所、つまり、物入れ用具ＢＧの自重による力が作用しているときに、コイルばね状部材１１２の外周とループ状取っ手ＢＧ１との間で、物入れ用具ＢＧの自重による力に抗することができるほどの十分な垂直抗力による摩擦力を発生することができる箇所に設けられる。
【００２４】
さらに、図４（Ａ）に示すように、バー部材１１１と、コイルばね状部材１１２との位置関係について、バー部材１１１をコイルばね状部材１１２の内側における最も低い位置に配置した構成としてもよい。
この構成の場合、ループ状取っ手ＢＧ１のバー部材１１１の外周に対する巻付け角（接触角度）を約９０度以上にすると、ループ状取っ手ＢＧ１とコイルばね状部材１１２の外周との接触箇所において物入れ用具ＢＧの自重による力がコイルばね状部材１１２の中心に対してバー部材１１１の位置する側へ向いて作用し、ループ状取っ手ＢＧ１とコイルばね状部材１１２の外周との接触箇所において、もし、ズレが生じた場合であっても、巻付け角が大きくなる側へより深く掛かるようになる。
その結果、物入れ用具ＢＧをより確実に支えることができる。
【００２５】
また、図４（Ｂ）に示すように、バー部材１１１と、コイルばね状部材１１２との位置関係について、バー部材１１１をコイルばね状部材１１２の内側における上下方向の真ん中より上側、かつ、図４（Ｂ）における左右横方向のユーザーの立ち位置側（図の右側）となる位置に配置した構成としてもよい。
この構成の場合、ループ状取っ手ＢＧ１のバー部材１１１の外周に対する巻付け角（接触角度）を約１２０度以上にすると、ループ状取っ手ＢＧ１とコイルばね状部材１１２の外周との接触箇所において物入れ用具ＢＧの自重による力がコイルばね状部材１１２の中心に対してバー部材１１１の位置する側へ向いて作用し、ループ状取っ手ＢＧ１とコイルばね状部材１１２の外周との接触箇所において、もし、ズレが生じた場合であっても、巻付け角が大きくなる側へより深く掛かるようになる。
その結果、物入れ用具ＢＧをより確実に支えることができる。
【００２６】
つまり、図４（Ａ）および図４（Ｂ）に示すように、バー部材１１１が、コイルばね状部材１１２の内周と接続され、バー部材１１１の外径Ｒ１が、コイルばね状部材１１２の内径Ｒ２の半分以下である関係を有する構成において、ループ状取っ手ＢＧ１のバー部材１１１の外周に対する巻付け角（接触角度）を大きくすると、ループ状取っ手ＢＧ１とコイルばね状部材１１２の外周との接触箇所において物入れ用具ＢＧの自重による力がコイルばね状部材１１２の中心に対してバー部材１１１の位置する側へ向いて作用し、ループ状取っ手ＢＧ１とコイルばね状部材１１２の外周との接触箇所において、もし、ズレが生じた場合であっても、巻付け角が大きくなる側へより深く掛かるようになる。
【００２７】
また、図４（Ｃ）に示すように、バー部材１１１が、コイルばね状部材１１２の外周と接続されていてもよい。
この場合、ループ状取っ手ＢＧ１が、バー部材１１１と交差した姿勢で接触してからコイルばね状部材１１２の所定方向Ｄにおける隙間Ｇに通されて、コイルばね状部材１１２の外周に掛けられる構成となる。
この構成であっても、物入れ用具ＢＧの自重による力がループ状取っ手ＢＧ１とコイルばね状部材１１２の外周との接触箇所においてコイルばね状部材１１２の内側へ向かって作用してループ状取っ手ＢＧ１とコイルばね状部材１１２の外周との接触箇所において垂直抗力が発生して摩擦力が発生する。
その結果、フック形状なしで物入れ用具ＢＧを掛けて支えることができる。
【００２８】
このようにして得られた本考案の第１実施例である物掛け具１００は、物入れ用具ＢＧが有するループ状取っ手ＢＧ１と係合する係合部１１０を有し、係合部１１０が、所定方向Ｄへ延設されたバー部材１１１と、バー部材１１１に沿って延設されたコイルばね状部材１１２とを有し、バー部材１１１が、コイルばね状部材１１２の内周または外周と接続され、コイルばね状部材１１２が、所定方向Ｄへ隙間Ｇを有し、ループ状取っ手ＢＧ１が、コイルばね状部材１１２の所定方向Ｄにおける隙間Ｇに通されてからバー部材１１１と交差した姿勢で接触して、コイルばね状部材１１２の外周に掛けられ、または、バー部材１１１と交差した姿勢で接触してからコイルばね状部材１１２の所定方向Ｄにおける隙間Ｇに通されて、コイルばね状部材１１２の外周に掛けられる構成であることにより、フック形状なしで物入れ用具ＢＧを掛けて支えることができ、万が一ユーザーが物掛け具１００の係合部１１０と接触した場合であっても目の負傷など大怪我するリスクを回避できる。
【００２９】
さらに、バー部材１１１が、コイルばね状部材１１２の内周と接続され、バー部材１１１の外径Ｒ１が、コイルばね状部材１１２の内径Ｒ２の半分以下である関係を有する構成であることにより、バー部材１１１がコイルばね状部材１１２の外周と接続した構成と比べて、係合部１１０の寸法をコンパクトにするとともに見栄えをよくすることができ、物入れ用具ＢＧをより確実に支えることができるなど、その効果は甚大である。
【実施例２】
【００３０】
続いて、本考案の第２実施例である物掛け具２００について、図５に基づいて説明する。
ここで、図５は、本考案の第２実施例である物掛け具２００の概略を示す斜視図である。
第２実施例の物掛け具２００は、第１実施例の物掛け具１００の支持部１２０を壁掛け部２３０へ変更したものであり、多くの要素について第１実施例の物掛け具１００と共通するので、共通する事項については詳しい説明を省略し、下２桁が共通する２００番台の符号を付すのみとする。
【００３１】
図５に示すように、本考案の第２実施例である物掛け具２００は、係合部２１０と、壁掛け部２３０とを備えている。
壁掛け部２３０は、所定方向Ｄにおいて係合部２１０の両端と接続するとともに、壁ＷＬと接続するように設けられている。
これにより、物掛け具２００が壁掛け式のタイプになる。
係合部２１０は、前述した第１実施例と同様、バー部材２１１と、コイルばね状部材２１２とを有している。
これにより、前述した第１実施例と同様の作用効果を得ることができる。
【実施例３】
【００３２】
続いて、本考案の第３実施例である物掛け具３００について、図６に基づいて説明する。
ここで、図６は、本考案の第３実施例である物掛け具３００の概略を示す側方図である。
第３実施例の物掛け具３００は、第２実施例の物掛け具２００のコイルばね状部材２１２の所定方向Ｄから視た形状を正円から楕円へ変更したものであり、多くの要素について第１実施例の物掛け具１００および第２実施例の物掛け具２００と共通するので、共通する事項については詳しい説明を省略し、下２桁が共通する３００番台の符号を付すのみとする。
【００３３】
図６に示すように、本考案の第３実施例である物掛け具３００は、係合部３１０と、壁掛け部３３０とを備えている。
係合部３１０は、前述した実施例と同様、バー部材３１１と、コイルばね状部材３１２とを有している。
コイルばね状部材３１２は、所定方向Ｄから視て楕円形となるように形成されている。
【００３４】
コイルばね状部材３１２を所定方向Ｄから視た形状が楕円形であっても、物入れ用具ＢＧの自重による力がループ状取っ手ＢＧ１とコイルばね状部材３１２の外周との接触箇所においてコイルばね状部材３１２の内側へ向かって作用してループ状取っ手ＢＧ１とコイルばね状部材３１２の外周との接触箇所において垂直抗力が発生して摩擦力が発生する。
その結果、フック形状なしで物入れ用具ＢＧを掛けて支えることができる。
さらに、コイルばね状部材３１２を所定方向Ｄから視た形状を楕円形にすることによって、コイルばね状部材３１２の外周と接触するループ状取っ手ＢＧ１が安定する範囲が広くなる。
その結果、物入れ用具ＢＧをより確実に支えることができる。
【実施例４】
【００３５】
続いて、本考案の第４実施例である物掛け具４００について、図７（Ａ）および図７（Ｂ）に基づいて説明する。
ここで、図７（Ａ）は、本考案の第４実施例である物掛け具４００の概略を示す平面図であり、図７（Ｂ）は、図７（Ａ）に示す符号７Ｂから視た正面図である。
第４実施例の物掛け具４００は、第１実施例の物掛け具１００のバー部材１１１およびコイルばね状部材１１２の延設方向（所定方向Ｄ）を直線方向から円の周方向へ変更したものであり、多くの要素について第１実施例の物掛け具１００と共通するので、共通する事項については詳しい説明を省略し、下２桁が共通する４００番台の符号を付すのみとする。
【００３６】
図７（Ａ）および図７（Ｂ）に示すように、本考案の第４実施例である物掛け具４００は、係合部４１０と、支持部４２０とを備えている。
係合部４１０のバー部材４１１およびコイルばね状部材４１２は、所定方向Ｄとして鉛直方向上側から視た円の周方向へ延設されている。
延設の所定方向Ｄが円の周方向であっても、物入れ用具ＢＧの自重による力がループ状取っ手ＢＧ１とコイルばね状部材４１２の外周との接触箇所においてコイルばね状部材４１２の内側へ向かって作用してループ状取っ手ＢＧ１とコイルばね状部材４１２の外周との接触箇所において垂直抗力が発生して摩擦力が発生する。
【００３７】
その結果、フック形状なしで物入れ用具ＢＧを掛けて支えることができる。
なお、バー部材４１１およびコイルばね状部材４１２の延設の所定方向Ｄが円の周方向である構成について説明したが、直線方向や円の周方向以外の例えば、鉛直方向上側から視た「Ｓ」字に湾曲した構成や、「Ｃ」字に湾曲や「Ｌ」字や「へ」字に屈曲した構成であってもよい。
【実施例５】
【００３８】
続いて、本考案の第５実施例である物掛け具５００について、図８に基づいて説明する。
ここで、図８は、本考案の第５実施例である物掛け具５００の概略を示す斜視図である。
第５実施例の物掛け具５００は、第１実施例の物掛け具１００のコイルばね状部材１１２を複数のリング状部材５１３へ変更したものであり、多くの要素について第１実施例の物掛け具１００と共通するので、共通する事項については詳しい説明を省略し、下２桁が共通する５００番台の符号を付すのみとする。
【００３９】
図８に示すように、本考案の第５実施例である物掛け具５００は、係合部５１０と、支持部５２０とを備えている。
さらに、係合部５１０が、所定方向Ｄへ延設されたバー部材５１１と、バー部材５１１に沿って配置された複数のリング状部材５１３とを有している。
そして、バー部材５１１が、リング状部材５１３の内周または外周の一例として内周と接続されている。
【００４０】
また、複数のリング状部材５１３が、所定方向Ｄへ隙間Ｇを有するとともにリング状部材５１３によって成される面がバー部材５１１と交差する関係となる姿勢で配設されている。
そして、ループ状取っ手ＢＧ１が、複数のリング状部材５１３の所定方向Ｄにおける隙間Ｇに通されてからバー部材５１１と交差した姿勢で接触して、リング状部材５１３の外周に掛けられるように構成されている。
【００４１】
これにより、物入れ用具ＢＧの自重による力がループ状取っ手ＢＧ１とリング状部材５１３の外周との接触箇所においてリング状部材５１３の内側へ向かって作用してループ状取っ手ＢＧ１とリング状部材５１３の外周との接触箇所において垂直抗力が発生して摩擦力が発生する。
その結果、フック形状なしで物入れ用具ＢＧを掛けて支えることができる。
さらに、複数のリング状部材５１３とこの配列方向に沿って設けられたバー部材５１１が係合部５１０を構成してユーザーが触れる箇所に尖った部分を有さない。
その結果、万が一ユーザーが物掛け具５００の係合部５１０と接触した場合であっても目の負傷など大怪我するリスクを回避できる。
【００４２】
なお、バー部材５１１が、リング状部材５１３の外周と接続されていてもよい。
この場合、ループ状取っ手ＢＧ１が、バー部材５１１と交差した姿勢で接触してから複数のリング状部材５１３の所定方向Ｄにおける隙間Ｇに通されて、リング状部材５１３の外周に掛けられる構成、または、複数のリング状部材５１３の所定方向Ｄにおける隙間Ｇに通されて、リング状部材５１３の外周に掛けられる構成となる。
この構成であっても、物入れ用具ＢＧの自重による力がループ状取っ手ＢＧ１とリング状部材５１３の外周との接触箇所においてリング状部材５１３の内側へ向かって作用してループ状取っ手ＢＧ１とリング状部材５１３の外周との接触箇所において垂直抗力が発生して摩擦力が発生する。
その結果、フック形状なしで物入れ用具ＢＧを掛けて支えることができる。
また、所定方向Ｄは、直線方向に限らない。
さらに、ループ状取っ手ＢＧ１をリング状部材５１３の外周に掛ける際、ループ状取っ手ＢＧ１が１つのリング状部材５１３を囲むようにループ状取っ手ＢＧ１を掛けてもよいし、複数のリング状部材５１３を囲むように掛けてもよい。
【００４３】
このようにして得られた本考案の第５実施例である物掛け具５００は、物入れ用具ＢＧが有するループ状取っ手ＢＧ１と係合する係合部５１０を有し、係合部５１０が、所定方向Ｄへ延設されたバー部材５１１と、バー部材５１１に沿って配置された複数のリング状部材５１３とを有し、バー部材５１１が、リング状部材５１３の内周または外周と接続され、複数のリング状部材５１３が、所定方向Ｄへ隙間Ｇを有するとともにリング状部材５１３によって成される面がバー部材５１１と交差する関係となる姿勢で配設され、ループ状取っ手ＢＧ１が、複数のリング状部材５１３の所定方向Ｄにおける隙間Ｇに通されてからバー部材５１１と交差した姿勢で接触して、リング状部材５１３の外周に掛けられ、または、バー部材５１１と交差した姿勢で接触してから複数のリング状部材５１３の所定方向Ｄにおける隙間Ｇに通されて、リング状部材５１３の外周に掛けられる構成であることにより、フック形状なしで物入れ用具ＢＧを掛けて支えることができ、万が一ユーザーが物掛け具５００の係合部５１０と接触した場合であっても目の負傷など大怪我するリスクを回避できるなど、その効果は甚大である。
【符号の説明】
【００４４】
１００、２００、３００、４００、５００  ・・・  物掛け具
１１０、２１０、３１０、４１０、５１０  ・・・  係合部
１１１、２１１、３１１、４１１、５１１  ・・・  バー部材
１１２、２１２、３１２、４１２          ・・・  コイルばね状部材
１１２ａ                                ・・・  滑り止め用の突起
５１３  ・・・  リング状部材
１２０、                ４２０、５２０  ・・・  支持部
２３０、３３０                  ・・・  壁掛け部
ＢＧ    ・・・  物入れ用具
ＢＧ１  ・・・  ループ状取っ手
Ｄ      ・・・  所定方向
Ｇ      ・・・  隙間
Ｒ１    ・・・  バー部材の外径
Ｒ２    ・・・  コイルばね状部材の内径
ＷＬ    ・・・  壁
【図１】
0003228461.tif 000003
【図２】
0003228461.tif 000004
【図３】
0003228461.tif 000005
【図４】
0003228461.tif 000006
【図５】
0003228461.tif 000007
【図６】
0003228461.tif 000008
【図７】
0003228461.tif 000009
【図８】
0003228461.tif 000010